(57)【要約】  脂肪細胞の肥大化を防止して確実に脂肪の沈着を防止でき、肥満を効果的に副作用なしに抑制することができる電位印加装置を提供する。  電位印加装置は、人体を絶縁状態にして所定の周波数で、かつ交流電位に直流負電位を加えた重畳波形電位を印加して脂肪細胞に影響を与える。【特許請求の範囲】
【請求項１】
人体を絶縁状態にして所定の周波数で、かつ交流電位に直流負電位を加えた重畳波形の電位を印加してなる電位印加装置。
【請求項２】
人体を絶縁状態にして周波数５ｋHzから１００ｋHz、好ましくは３０ｋHzから４０ｋHz、かつ交流電位；５０ボルトから１５００ボルトに直流負電位を加えた重畳波形の電位を印加してなる電位印加装置。
【請求項３】
人体を絶縁状態にして周波数５ｋHzから１００ｋHz、好ましくは３０ｋHzから４０ｋHzとし、かつ交流電位；５０ボルトから１５００ボルトに負直流電位を加え、重畳波形の正側と負側の電位割合を１対２、及びそれ以下としてなる電位印加装置。
【請求項４】
周波数５ｋHzから１００ｋHz、好ましくは３０ｋHzから４０ｋHz、かつ交流電位；５０ボルトから１５００ボルトに直流負電位を加えた重畳波形の電位を印加するための第１電極と該電極の対側にアース電極としての第２電極とを備える電位印加装置。
【請求項５】
周波数５ｋHzから１００ｋHz、好ましくは３０ｋHzから４０ｋHz、かつ交流電位；５０ボルトから１５００ボルトを印加するための第１電極と、該電極の対側で負の直流電位を印加するための第２電極とを備え重畳波形の電位を形成する電位印加装置。
【請求項６】
請求項１から５のいずれか１項の電位印加装置であって、前記重畳波形に揺らぎ波形を加えた複合波形電位を印加なる電位印加装置。
【請求項７】
請求項１から５のいずれか１項の電位印加装置であって、前記重畳波形の電位を印加する電極を被脂肪細胞沈着抑制部位に取り付けてなる電位印加装置。
【請求項８】
前記電極を装設した巻帯を被脂肪細胞沈着抑制部位に巻着してなることを特徴とする請求項７記載の電位印加装置。
【発明の詳細な説明】
【技術分野】
【０００１】
本発明は、肥満の原因となる脂肪細胞の沈着を抑制するための脂肪細胞に影響を与える電位印加装置に関する。
【背景技術】
【０００２】
肥満を防止するために投薬療法、イオン飲料等のサプリメント、さらに磁気治療又超音波等各種の方法がなされている。特許文献１には、図１に示すように、ベルト本体の一側の適宜位置に一定の間隔でもって銅繊維性の素材で編成した電極とアルミニウム素材を用いた電極を配置し、これら両電極を人体の皮膚に当接させて巻き付け、皮膚を導通回路となし両電極間に流れる微弱な電流を利用して人体の蓄積過多の皮下脂肪等の除去ないし抑制を図ると共に脂肪の沈着を防止することが記載されているが、脂肪の沈着を防止することができる具体的な臨床データが示されていないため、どの程度肥満に効果があるのか立証されていない。
【特許文献１】特開２０００−３７４６４号公報
【発明の開示】
【発明が解決しようとする課題】
【０００３】
本発明は、従来の欠点を鑑みてなされたもので、本発明の目的は、電位治療器を使用して脂肪の沈着を防止することができることを具体的な動物実験で検証したデータを示した最初の発明であり、脂肪細胞の肥大化を防止して確実に脂肪の沈着を防止でき、肥満を効果的に副作用なしに抑制することができる電位印加装置を提供することにある。
【課題を解決するための手段】
【０００４】
電位印加装置は、人体を絶縁状態にして所定の周波数で、かつ交流電位に直流負電位を加える。【０００５】
電位印加装置は、人体を絶縁状態にして周波数５ｋHzから１００ｋHz、好ましくは３０ｋHzから４０ｋHz、かつ交流電位；５０ボルトから１５００ボルトに直流負電位を加えた重畳波形の電位を印加する。【０００６】
電位印加装置は、人体を絶縁状態にして周波数５ｋHzから１００ｋHz、好ましくは３０ｋHzから４０ｋHzとし、かつ交流電位；５０ボルトから１５００ボルトに負直流電位を加え、重畳波形の正側と負側の電位割合を１対２、及びそれ以下とする。【０００７】
電位印加装置は、周波数５ｋHzから１００ｋHz、好ましくは３０ｋHzから４０ｋHz、かつ交流電位；５０ボルトから１５００ボルトに直流負電位を加えた重畳波形の電位を印加するための第１電極と該電極の対側にアース電極としての第２電極とを備える。【０００８】
電位印加装置は、周波数５ｋHzから１００ｋHz、好ましくは３０ｋHzから４０ｋHz、かつ交流電位；５０ボルトから１５００ボルトを印加するための第１電極と、該電極の対側で負の直流電位を印加するための第２電極とを備え重畳波形の電位を形成する。【０００９】
電位印加装置は、重畳波形に揺らぎ波形を加えた複合波形電位を印加して脂肪細胞に影響を与える。【００１０】
電位印加装置は、重畳波形電位を印加する電極を被脂肪細胞沈着抑制部位に取り付ける。【００１１】
電極を装設した巻帯を被脂肪細胞沈着抑制部位に巻着する。
【発明の効果】
【００１２】
本発明に係る電位印加装置によれば、脂肪細胞の肥大化を防止して確実に脂肪の沈着を防止でき、肥満を効果的に、かつ副作用なしに抑制することができる。
【図面の簡単な説明】
【００１３】
【図１】従来の電位印加装置を示す概略図である。
【図２】マウスを入れた容器に電位治療器の原理を使用した電位印加装置を備えた概略図である。
【図３ａ】交流のみの波形を示す。
【図３ｂ】交流波形に直流負電位を加えた重畳波形（スーパーポーズ）を示す。
【図３ｃ】交流波形に直流負電位を加えた重畳波形の正側と負側の電位割合を示す。
【図４ａ】椅子形式の電位印加装置を示す概略図である。
【図４ｂ】椅子に座っている人の足が、通電電極プレートに載せられ、アース電極が腰部に設けられた状態を示す概略図である。
【図５】金属又は炭素等のプレートを絶縁体で被覆した通電電極構造を示す断面図である。
【図６】導電体プレートを絶縁体で被覆したアース電極の構造を示す断面図である。
【図７ａ】マット形式の電位印加装置の概略図である。
【図７ｂ】図７ａの電位印加装置の断面図である。
【図８ａ】ドーム形式の電位印加装置の概略図である。
【図８ｂ】該装置を横たわった人の脚部に設けた状態を示す概略図である。
【図８ｃ】該装置の部分分解図を示す。
【図９ａ】中空円筒形式の電位印加装置の概略図である。
【図９ｂ】図９ａの装置を腕部に取り付けられた状態を示す概略図である。
【図９ｃ】図９ａの装置を客部に取り付けられた状態を示す概略図である。
【図１０】巻物形式の電位印加装置の概略図である。
【図１１ａ】駆動電極に印加される重畳波形の電位を形成するための回路を示す。
【図１１ｂ】第１電極に交流電位と第２電極に直流負電位を印加して重畳波形電位を形成するための回路を示す。
【図１２】重畳波形電位を印加した効果を示すデータ図の表１である。
【図１３】図１２の表１をグラフにした図である。
【図１４】病理解剖学的検査の結果を示すデータ図の表２である。
【図１５】電位印加装置の電位負荷により器官及び組織には変化を認めなかったことを示すデータ図の表３である。
【符号の説明】
【００１４】
１０  電位印加装置
２０  椅子
３２  絶縁マット
１２  第1電極（アース電極）
１４  第２電極（駆動電極）
３４，５２，６０，６８，７４  通電電極プレート
３６，５４，６４，７０，７６  アース電極
４２，４６  金属又は炭素等のプレート
４４，４８  絶縁体
５０  マット
５８  屋根部材
７２  巻物部材
【発明を実施するための最良の形態】
【００１５】
以下、添付図面を参照して発明を実施するための最良の形態を詳述する。
図２は、以下に述べる肥満マウスを入れた容器に電位を印加してなる電位印加装置を示す概略図である。電位印加装置は、上下に対向して配置された第１電極と第２電極と、第１電極と第２電極の電圧、周波数を制御するための制御装置を備えている。該図の電位印加装置１０において、第１電極１２は、アース電極として用いられ、第２電極１４は、駆動電極として用いられる。そして、アース電極１２及び駆動電極１４は、マウスを入れた容器の蓋の内側及び底板の外側にそれぞれ取り付けられている。容器は、プラスチック製である。【００１６】
駆動電極１４には、交流電位；５０ボルトから１５００ボルト、直流負電位；１００から５００ボルト、好ましくは２００から４００ボルトの重畳波形の電位が印加される。電流は、１ｍｍＡから１．２ｍｍＡ、周波数；５ｋHzから１００ｋHz、好ましくは３０ｋHzから４０ｋHzである。【００１７】
図３（ａ）は、交流のみの波形を示し、図３（ｂ）は、交流波形に直流負電位を加えた重畳波形（スーパーポーズ）を示す。なお、重畳波形に揺らぎ波形を加えてもよい。【００１８】
かくして、電位印加装置は、上下に対向して配置した第１電極１２と第２電極１４と、これら電極に印加する所定の電圧、周波数を制御するためのコントローラ１６とを備えて構成される。周波数５ｋHzから１００ｋHz、好ましくは３０ｋHzから４０ｋHz、かつ交流電位；５０ボルトから１５００ボルトに直流負電位を加えた重畳波形の電位を印加するための第１電極と該電極の対側の第２電極とを備える。【００１９】
図３（ｃ）は、交流波形に直流負電位を加えた重畳波形（スーパーポーズ）を示す。
該図において、ａは、印加される直流電位、ｂは、印加される交流電位、ｃは、直流電位ａと交流電位ｂを合わせた重畳波形を示す。（１）は、ｃの重畳波形で正側と負側の電位割合が１対３、（２）は、ｃの重畳波形で正側と負側の電位割合が１対２、（３）は、ｃの重畳波形で正側と負側の電位割合が３対５をそれぞれ示す。
本実施例においては、重畳波形の正側と負側の電位割合として１対２が使用される。重畳波形の正側と負側の電位割合として１対２以下であってもよい。【００２０】
また、電位印加装置は、周波数５ｋHzから１００ｋHz、好ましくは３０ｋHzから４０ｋHz、かつ交流電位；５０ボルトから１５００ボルトを印加するための第１電極と、該電極の対側で負の直流電位を印加するための第２電極とを備える。【００２１】
この電位印加装置の容器の中にヒト糖尿病性腎症の特徴を備えているとされるｄｂ／ｄｂマウスを入れて、電位治療器の電位負荷による糖尿病性腎症に及ぼす影響について検討した。ｄｂ／ｄｂマウスは、肥満、過食、高インスリン血症など顕著な糖尿病症状を自然発症し、ヒト糖尿病性腎症の特徴を備えているとされる。【００２２】
＜試験系＞
・使用動物
動物種  ：マウス
系統    ：Ｃ５７ＢＬ／ＫｓＪ−ｄｂ／ｄｂＪｃｌ
性別    ：雄性
購入数  ：３０匹（入手数：３０匹、使用数：２７匹）
週齢    ：入手時８週齢、使用開始時９週齢
体重範囲：入手時体重３５．１〜４０．５g、群分け時体重４０．２〜４５．７ｇ
供給源  ：日本クレア株式会社
試験系選択の理由：ヒト糖尿病性腎症の特徴を備えているとされる動物であり、背景データが揃っている。【００２３】
・飼育室の環境条件
飼育室  ：Ｓ−２０２飼育室
温度    ：２０〜２６℃（実測値：２１．５〜２４．５℃）
温度    ：３５〜７５％（実測値：４４．５〜７１．５％）
換気回数：１５〜２５回／時間
照明時間：１２時間／日（７〜１９時）【００２４】
＜試験項目及び方法＞
・供試動物の抽出及び群分け方法
負荷開始前に検疫・馴化期間中の体重増加が順調で、一般状態にも異常が認めなられなかった雄２７匹を選別し、体重別層化無作為抽出法に準じた方法で群分けをした。余剰動物は試験系より除外した。【００２５】
・電位負荷（照射）
マウスに電位治療器により発生させた電位を負荷期間（連続１２週間）中１匹当たり１日１回、２．５時間行う。電位治療器にはマウスを一度に３匹収容して電位負荷を行い、各群（９匹）３クールに分け時間をずらして電位負荷を実施する。対照群のマウスは、同様に１匹当たり１日１回、２．５時間電位治療器に収容のみ行い、電位負荷は行わない（非負荷群）。【００２６】
・評価方法
電位負荷による評価は、体重、血糖値、尿中アルブミン及び８−ヒドロキシデオキシグアノシン（８−ＯＨｄＧ）、血液学的検査、血液化学的検査、病理解剖学的検査及び腎臓の病理組織学的検査を行った。
・体重測定
測定頻度：負荷開始前及び負荷開始後１週毎
測定方法：全例について、電子上皿天秤を用いて測定した。【００２７】
・病理解剖学的検査
検査時期：負荷期間終了後
検査方法：全採血終了後、病理学的手法に従って解剖し、頭蓋、胸腔及び腹腔内
臓器を肉眼的に観察した。【００２８】
・評価結果
体重（表１参照、及び表１をグラフにしたものを図１３に示す）
糖尿病性腎症のモデルであるｄｂ／ｄｂマウスは８〜９週齢ですでに過食によって引き起こされる肥満が発症することが知られている。今回用いた非負荷群、交流群及びスーパーポーズ（−）群の９週齢（群分け時）体重（４０．２〜４５．７ｇ）は、同週齢の正常（ｄｂ／＋ｍ）マウスで報告されている体重（２５〜２８ｇ）と比較して著しく増加（肥満）していることが確認された。【００２９】
このｄｂ／ｄｂマウスを用いた非負荷群の体重は、１週目（Ｐｒｅ）から８週目（５２．２±１．０ｇ）まで増加した後、１３週目までわずかに減少したもののほぼ平衡状態を持続した。なお、血糖値測定のためエーテル麻酔下に採血を４週目、８週目及び１２週目に実施したためそれぞれ次週の体重では減少が見られた。【００３０】
ｄｂ／ｄｂマウスの９週齢から連続１２週間に亘って電位負荷した時の体重は、交流
群では非負荷群と比較していずれの週においても有意な差がなかった。このことから交
流の電位負荷は、体重の増減に影響しないと考えられる。【００３１】
一方、スーパーポーズ（−）群での体重は、非負荷群と比較して５週目及び７週目から１２週目に亘って有意に減少した。この結果から、スーパーポーズ（−）の電位負荷はｄｂ／ｄｂマウスの体重増加の抑制効果又は増加体重の減少効果を示し、ｄｂ／ｄｂマウスの肥満を抑制したと考えられる。【００３２】
・病理解剖学的検査
表２は、病理解剖学的検査の結果を示す。該表２において、＋＋＋は、ひどい肥満を示す。該表より、糖尿病性腎症モデルのｄｂ／ｄｂマウスは８週齢ですでに肥満が見られ、１０週齢で白内障が出現する固体もある特徴をもっている。病理解剖時の非負荷群では、９例全例に脂肪沈着（肥満）及び白内障を認めた。一方、ｄｂ／ｄｂマウスの９週齢から２１週齢まで連続１２週間（１日１回、２．５時間）の電位負荷を行った交流群及びスーパーポーズ（−）群のいずれも全例においても脂肪沈着（肥満）及び白内障を認めたが、スーパーポーズ（−）の電位負荷により脂肪沈着の抑制がみられ、肥満の改善効果が示唆された。【００３３】
一方、電位印加装置の電位負荷により器官及び組織には変化を認めなかったことから（表３）、今回の交流及びスーパーポーズ（−）の電位負荷条件では器官及び組織に影響を及ぼさないと考えられる。【００３４】
図４（ａ）は、椅子形式の電位印加装置の概略図である。該図において、符号２０は、椅子であり、椅子２０は、背部２２と座部２４と肘部２６と脚部２８を備える。脚部の足部に絶縁シュー３０が取り付けられ、絶縁シューに絶縁マット３２が取り付けられ、絶縁マットは床に置かれる。絶縁マット上に通電電極プレート３４となる台が置かれる。一方通電電極プレートの対電極となるアース電極３６が背部に上下に摺動可能に取り付けられている。通電電極プレートは通電コード３８を介して制御装置４０に接続されている。通電電極プレートに重畳波形電位が印加される。図４（ｂ）は、椅子に座っている人の足が、通電電極プレートに載せられ、アース電極が腰部又は膝に設けられた状態を示す概略図である。なお、アース電極３６は、例えば褐色細胞組織が多い部位に設置することが好ましい。【００３５】
図５は、金属又は炭素等のプレート４２を絶縁体４４で被覆した通電電極３４の構造の断面図を示す。図６は、導電体プレート４６を絶縁体４８で被覆したアース電極３６の構造の断面図を示す。【００３６】
図７（ａ）は、マット形式の電位印加装置の概略図である。該図において、符号５０は、布団等に敷かれたマットであり、マットは通電電極部５２と、通電電極部の対電極となるアース電極部５４を備える。図７（ｂ）は、図７（ａ）の電位印加装置の断面図である。マット５０は、絶縁ビニール又は木製板等の絶縁部材５６上に敷かれる。マット５０は、ウレタン製であり、マットの横たわる人の腰部には通電電極５２が、そして脚部にはアース電極５４がそれぞれ配設されている。【００３７】
図８（ａ）は、ドーム形式の電位印加装置の概略図である。該図において、ドーム形式の屋根部材５８に通電電極６０が設けられ、該電極に取り付けられ人が横たわる台６２が設けられ、この台にアース電極６４が設けられている。図８（ｂ）は、該装置を横たわった人の脚部に設けた状態を示す概略図である。図８（ｃ）は  該装置の部分分解図を示す。【００３８】
図９（ａ）は、中空円筒形式の電位印加装置の概略図である。該図において、装置は、中空円筒形式の円筒部材６６に通電電極６８及びアース電極７０を備えている。図９（ｂ）及び図９（ｃ）は、該装置がそれぞれ腕部及び客部に取り付けられた状態を示す概略図である。【００３９】
図１０は、巻物形式の電位印加装置の概略図である。該図において、巻物部材７２の中心位置に通電電極７４が、端部にアース電極７６がそれぞれ設けられている。この装置は、例えば腹部及び脚部に取り付けられる。【００４０】
駆動電極に印加される重畳波形電位を形成するための回路を図１１（ａ）及び図１１（ｂ）に示す。
図１１（ａ）において、電位印加装置の制御装置は、直流電圧発生器と交流電圧発生器とを備える。細胞沈着抑制装置は、上下に対向して配置された第１電極と第２電極とを備えている。該図の電位印加装置１０において、第１電極１２は、アース電極として用いられ、第２電極１４は、駆動電極として用いられる。駆動電極１４に上述した交流と直流との重畳波形電位が印加される。【００４１】
また図１１（ｂ）に第１電極１２に直流負電位；１００から５００ボルト、好ましくは２００から４００ボルト、第２電極１４に交流電位；５０ボルトから１５００ボルトを印加してもよい。第１電極に交流電位と第２電極に直流負電位を印加して重畳波形電位を形成させるための回路を示す。該図において、アース電位は、第２電極又は直流電圧発生器と交流電圧発生器との間に設けられる。
【産業上の利用可能性】
【００４２】
各種成人病又は慢性疾患の誘引となる肥満の防止に係る肥満防止用の個人健康器具及び美容器具、病院や診療所での肥満防止用の器具に適用する。
【図１】
2006107075.tif 000002
【図２】
2006107075.tif 000003
【図３ａ】
2006107075.tif 000004
【図３ｂ】
2006107075.tif 000005
【図３ｃ】
2006107075.tif 000006
【図４ａ】
2006107075.tif 000007
【図４ｂ】
2006107075.tif 000008
【図５】
2006107075.tif 000009
【図６】
2006107075.tif 000010
【図７ａ】
2006107075.tif 000011
【図７ｂ】
2006107075.tif 000012
【図８ａ】
2006107075.tif 000013
【図８ｂ】
2006107075.tif 000014
【図８ｃ】
2006107075.tif 000015
【図９ａ】
2006107075.tif 000016
【図９ｂ】
2006107075.tif 000017
【図９ｃ】
2006107075.tif 000018
【図１０】
2006107075.tif 000019
【図１１ａ】
2006107075.tif 000020
【図１１ｂ】
2006107075.tif 000021
【図１２】
2006107075.tif 000022
【図１３】
2006107075.tif 000023
【図１４】
2006107075.tif 000024
【図１５】
2006107075.tif 000025
【国際調査報告】
2006107075.tif 000026
2006107075.tif 000027
2006107075.tif 000028
2006107075.tif 000029